(57)【要約】【課題】  周囲から様々な振動や衝撃が入力しやすい環境下においても脱落等のないコアユニット及びそれを有するスイッチング電源を提供する。【解決手段】  コア２と、コア２を覆うコア保持板材４とを有し、コア保持板材４は、コア２の頂面と接する天井部４１と、天井部４１の両端面から延びコア２の一対の側面に接する一対の脚部４２ａ、４２ｂとを有するコアユニット１において、天井部４１は略平面状をなす主平面部４１ａと、主平面部内においてコア２の頂面方向に突出する切絞り部４３を有する。この切絞り部４３の突出量は高精度であるため、コア保持板材４でコアユニット２を保持した際に、切絞り部４３の突出量に依存するコアユニット２に掛かる押圧力が各個体において略均等になる。よって、これをスイッチング電源等に使用した場合においてもコア２の取付不良を低減し、脱落等を防止することが可能となる。【選択図】図１
2005101051.tif 000002
【特許請求の範囲】
【請求項１】
コアと、該コアを覆うコア保持板材とを有し、該コア保持板材は、該コアの頂面と接する天井部と、該天井部の両端面から延び該コアの一対の側面に接する一対の脚部とを有するコアユニットにおいて、
該天井部は略平面状をなす主平面部と、該主平面部内において該コアの該頂面方向に突出する切絞り部を有することを特徴とするコアユニット。
【請求項２】
該一対の脚部のうちの少なくとも一方の脚部は、略平面状をなす側方平面部と、該側方平面部内において該コアの該側面方向に突出する側方切絞り部を有することを特徴とする請求項１に記載のコアユニット。
【請求項３】
該コアの外形は略直方体形状をなして該一対の側面及び該頂面に直交する他の一対の側面を有し、該それぞれの脚部からは１対の突出片が互いに反対方向にかつ該コアの該一対の側面と略平行に突出して該脚部と一体に設けられ、それぞれの突出片には、該コアの該他の一対の側面に関連する突部が設けられていることを特徴とする請求項１乃至２に記載のコアユニット。
【請求項４】
該突出片の突部は切絞り加工又は絞り加工により提供されることを特徴とする請求項３に記載のコアユニット。
【請求項５】
該突部は該天井部からの脚部の延設方向に略平行に延びる２本の切込み部間の板材部位を絞り加工して設けられ、該脚部に近い側の切込み部を該他の一対の側面に近接配置して、該突部は係止突部をなすことを特徴とする請求項４に記載のコアユニット。
【請求項６】
それぞれの該突出片は更に、該他の一対の側面と略平行に折曲げられた折曲げ部を有し、該突部は、該折曲げ部に該他の一対の側面方向に突出して設けられて押圧突部をなすことを特徴とする請求項４に記載のコアユニット。
【請求項７】
該コアは、１対のコア体を対向配置させて設けられ、それぞれのコア体は基部と、該基部の両端から延び該１対の側面を画成する一対の側部と、該基部の内面から該側部に平行に突出する中央軸部とを有して断面Ｅ字状をなし、それぞれのコア体の側部の先端面同士が当接して外形がロの字状をなしたとき、該中央軸部の軸端部間に隙間が提供され、該天井部の切絞り部は、該側部が該基部から延出する位置に対応してそれぞれ配置されていることを特徴とする請求項１に記載のコアユニット。
【請求項８】
請求項１乃至８の何れか一つに記載のコアユニットと、被取付材を有し、該コアユニットのコア保持板材の脚部の先端が該被取付部材に取付られることを特徴とするスイッチング電源。
【発明の詳細な説明】
【技術分野】
【０００１】
本発明はコアユニット及びそれを用いたスイッチング電源に関し、特にコアが破損し難い構造を備えたコアユニット及びそれを用いたスイッチング電源に関する。
【背景技術】
【０００２】
従来、スイッチング電源の回路に設けられるコアユニットおいては、トランスやチョークコイル等のコア（鉄心）とコイル（巻き線）とを有するインダクタンス素子等を搭載するため、そのコア等を抱え込む構造を備えた板バネが採用されている。この種の板バネに関して、従来、例えば図１５に示す板バネ１５が知られていた（特許文献１参照）。この板バネ１５は湾曲した天井部１５１の両端に脚部１５２を形成したものである。この板バネ１５により、コア２及びコイル３を抱え込んで保持した上で係止部１５７を基板５に係合させると、コア２及びコイル３が所定の場所に板バネ１５の湾曲部分の反力により押圧されて固定されるようになっている。これは即ち、板バネ１５の天井部１５１の曲率、及び、これを基板５に係止する脚部１５２の長さ等の寸法に依存して発生する押圧力によりコア２を基板５に当接して固定するものである。
【特許文献１】特開２００１−１４４４７８号公報
【発明の開示】
【発明が解決しようとする課題】
【０００３】
上記板バネ１５は、基材となる板材をプレス加工する事により形成されるものであるが、天井部１５１が湾曲形状であるため、その基材の特性に基づく加工時の残留応力等により、コアユニットの寸法に対して、その形状寸法の精度を上げることは容易なことではない。よって、これを高精度に作成するとその歩留まりが悪くなる。従って、歩留まりを追求すると、その寸法が低精度なものとなり、この寸法精度による各個体の寸法誤差に基づくコアの固定力のばらつきが発生していた。
【０００４】
また、天板が湾曲形状のコア支持具では、寸法制度の問題から所定の固定力を得るため湾曲部の撓み量を大きく取っている。これを電気自動車のように周囲から様々な振動や衝撃が入力しやすい環境下におくと、コアが固定されている基板に対して振動し、コアのずれや破損等が発生する場合があるという問題があった。
【０００５】
そこで、本発明は、上記課題を解決するため、板バネの加工精度を上げることにより固定圧力のばらつきを小さくしてコアに適正圧をかけることを可能にし、周囲から様々な振動や衝撃が入力しやすい環境下においても破損等のないコアユニット及びそれを有するスイッチング電源を提供することを目的とする。
【課題を解決するための手段】
【０００６】
上記目的を達成するために、コアと、該コアを覆うコア保持板材とを有し、該コア保持板材は、該コアの頂面と接する天井部と、該天井部の両端面から延び該コアの一対の側面に接する一対の脚部とを有するコアユニットにおいて、該天井部は略平面状をなす主平面部と、該主平面部内において該コアの該頂面方向に突出する切絞り部を有するコアユニットを提供している。
【０００７】
また、本発明は、該一対の脚部のうちの少なくとも一方の脚部は、略平面状をなす側方平面部と、該側方平面部内において該コアの該側面方向に突出する側方切絞り部を有するコアユニットを提供する。
【０００８】
この少なくとも一方の脚部に設けられた該コアの該側面方向に突出する側方切絞り部により、該コア側面方向にも押圧力をかけることが可能となる。
【０００９】
また、本発明は、該コアの外形は略直方体形状をなして該一対の側面及び該頂面に直交する他の一対の側面を有し、該それぞれの脚部からは１対の突出片が互いに反対方向にかつ該コアの該一対の側面と略平行に突出して該脚部と一体に設けられ、それぞれの突出片には、該コアの該他の一対の側面に関連する突部が設けられているコアユニットを提供する。
【００１０】
また、該突出片の突部は切絞り加工又は絞り加工により提供されることとしてもよい。
【００１１】
また、該突部は該天井部からの脚部の延設方向に略平行に延びる２本の切込み部間の板材部位を絞り加工して設けられ、該脚部に近い側の切込み部を該他の一対の側面に近接配置して、該突部は係止突部をなすこととしてもよい。
【００１２】
該コアは、１対のコア体を対向配置させて設けられ、それぞれのコア体は基部と、該基部の両端から延び該１対の側面を画成する一対の側部と、該基部の内面から該側部に平行に突出する中央軸部とを有して断面Ｅ字状をなし、それぞれのコア体の側部の先端面同士が当接して外形がロの字状をなしたとき、該中央軸部の軸端部間に隙間が提供され、該天井部の切絞り部は、該側部が該基部から延出する位置に対応してそれぞれ配置されていることとしてもよい。
【００１３】
また、上記目的を達成するために、上記いずれかのコアユニットと、被取付材を有し、該コアユニットのコア保持板材の脚部の先端が該被取付部材に取付られるスイッチング電源を提供している。
【発明の効果】
【００１４】
本発明の請求項１記載のコアユニットによれば、コアユニットを基板等の被取付材上に取付けるときに、切絞り部が基板との間でコアを押圧固定する。切絞り部は、平坦な天井部の一部を切込み、切込み部位の隣接部のみをコアの頂面方向に絞り加工することで提供できるので、従来のコアユニットのコア保持板材のように、天井部全体を湾曲変形させることによって突出量の誤差範囲が大きくなることはなく、天井部の平坦部を保持しつつ、切り込み部位の隣接部のみを容易に所望の突出量に絞り加工することにより、所望の突出量が確保できる。この切絞り部の突出量の精度は高いため、コア保持板材の各寸法を略均一なものとすることが可能となり、これによりコア保持板材の加工コストを大幅に低下でき、歩留り性の高いコア保持板材を提供できる。
【００１５】
本発明の請求項２記載のコアユニットによれば、一対の脚部のうちの少なくとも一方の脚部は、略平面状をなす側方平面部と、側方平面部内においてコアの側面方向に突出する側方切絞り部を有するので、コアを被取付部材に固定するとき、コアの両側面を結ぶ方向についても良好にコアを固定することができる。このとき、側方切絞り部は、請求項１と同様に、所望の突出量が容易に確保でき、コア保持板材の加工コストを低下できる。
【００１６】
本発明の請求項３記載のコアユニットによれば、それぞれの脚部からは１対の突出片が互いに反対方向にかつコアの一対の側面と略平行に突出して脚部と一体に設けられ、それぞれの突出片には、コアの他の一対の側面に関連する突部が設けられているので、突部によってコアの他の一対の側面位置を規制したり、他の一対の側面を押圧付勢することができ、コアをより良好にコア保持板材に位置決めしたり固定することができ、ひいては、被取付部材に対してコアを正確に位置決め、又は固定することができる。
【００１７】
本発明の請求項４記載のコアユニットによれば、突出片の突部は切絞り加工又は絞り加工により提供される。突出片自体は脚部や天井部に比較して細幅な片なので、突部の形成のために絞り加工が採用できる。また切絞り加工により突部を形成するときは、請求項１乃至２の切絞り部と同様な効果を発揮できる。
【００１８】
本発明の請求項５記載のコアユニットによれば、突部を切絞り加工により形成したときは、脚部に近い側の切込み部を他の一対の側面に近接配置して、突部は他の一対の側面に対する係止突部をなすので、コアの他の一対の側面同士を結ぶ方向の位置決めが容易となる。
【００１９】
本発明の請求項６記載のコアユニットによれば、それぞれの突出片は更に、他の一対の側面と略平行に折曲げられた折曲げ部を有し、突部は、折曲げ部に他の一対の側面方向に突出して設けられて押圧突部をなしているので、コアの他の一対の側面同士を結ぶ方向において、コアは所望の位置にコア保持板材に固定できる。
【００２０】
本発明の請求項７記載のコアユニットによれば、コアは、１対のコア体を対向配置させて設けられ、それぞれのコア体は基部と、該基部の両端から延び該１対の側面を画成する一対の側部と、基部の内面から側部に平行に突出する中央軸部とを有して断面Ｅ字状をなし、それぞれのコア体の側部の先端面同士が当接して外形がロの字状をなしたとき、中央軸部の軸端部間に隙間が提供され、天井部の切絞り部は、側部が該基部から延出する位置に対応してそれぞれ配置されているので、コアの天井部中央部での破断を防止できる。もし切絞り部が天井部の中央部にのみ配置されているときは、切絞り部直下の位置では隙間があるため、切絞り部からの押圧力を中央軸部で受けることができず、コア天井部中央部に応力が集中して破壊が起きる可能性があるが、天井部の切絞り部は、側部が基部から延出する位置に対応してそれぞれ配置されているので、切絞り部からの押圧力を側部で受けることができる。
【００２１】
本発明の請求項８記載のスイッチング電源によれば、上述した構成のコアユニットと、被取付材を有し、コアユニットのコア保持板材の脚部の先端が被取付部材に取付られているので、コアが確実に被取付部材に固定され、スイッチング電源が振動環境下で使用されても、コアを被取付材の所定の位置に保持固定することができ、スイッチング電源としての性能を長期にわたって発揮することができる。
【発明を実施するための最良の形態】
【００２２】
本発明第１の実施の形態によるコアユニットについて図１乃至図５を参照しながら説明する。図１、図２に示すコアユニット１はスイッチング電源等の回路上に担持されてインダクタンス素子を形成するコア２とコイル３を含んで形成されるものである。このコア２は、基部２１ａの両端から延びる１対の側面を画成する一対の側部２２ａと、基部２１ａの内面から側部２２ａに平行に突出する中央軸部２３ａとを有して、その断面がＥ字状をなすコア２ａ、及び同一形状をなすコア２ｂを含むものである。そして、それぞれコア２ａ、２ｂの側部２２ａと２２ｂとの先端面同士が当接して外形がロの字状をなすように重合されて、コア２を形成する。
【００２３】
このコア２ａ、２ｂに含まれる中央軸部２３ａ、２３ｂはそれぞれその先端面が重合せず、ここに僅かなギャップを形成する。このギャップが異なるコアを使用することにより、インダクタンス素子としての性能が異なることになる。
【００２４】
コイル３は、ブスバーが螺旋状に巻かれて形成されるものであり、その巻き数によってインダクタンス素子としての性能が異なることになる。このコイル３がコア２ａ、２ｂの中央軸部２３ａ、２３ｂに外装された状態でコア２ａ、２ｂを重合し、インダクタンス素子を形成する。
【００２５】
このコイル３を備えたコア２は重合した状態で特に固定されないため、これを固定する必要がある。よって、コア２を基板５上にコア保持板材４を用いて固定する。
【００２６】
図１、図２に示すように、コア保持板材４は、耐食性、耐熱性等のある素材、たとえばステンレス鋼等、バネ素材の板をその断面が略コの字型になるように曲加工したものであり、略コの字型のコア保持板材４でコア３を覆うようにして固定する。
【００２７】
このコア保持板材４は、コア３の頂面と接する天井部４１と、天井部４１の両端面から延びコアの一対の側面に接する一対の脚部４２ａ、４２ｂとを有し、天井部４１は略平面状をなす主平面部４１ａと、主平面部４１ａ内においてコア３の頂面方向に突出する切絞り部４３を有する。
【００２８】
この切絞り部４３は、コア保持板材４を板材より切り出した後、この切り出したものをプレス加工により略コの字形状にする際に同時に成形するものであり、その切絞り加工による板材よりの押し出し量を±０．１ｍｍ以下で制御することが可能なものである。
【００２９】
このコア保持板材４のそれぞれの脚部４２ａ、４２ｂからは１対の突出片４４ａ、４４ｂが互いに反対方向にかつコア３の一対の側面と略平行に突出して脚部４２ａ、４２ｂと一体に設けられている。そして、それぞれの突出片４４ａ、４４ｂには、その先端をコア３に沿って曲げ加工して、コア３の他の一対の側面に関連する突部４５ａ、４５ｂが設けられている。
【００３０】
また、脚部４２ａ、４２ｂの端部からは、コア保持板材４を基板５に固定する固定部４７ａ、４７ｂが天井部４１に対して略平行かつ等距離になるように延設されている。よって、固定部４７ａ、４７ｂを含む平面は天井部４１の平面と略平行となる。更に、図５に示すように、この脚部４２ａ、４２ｂの天井部４１との連接箇所から、固定部４７ａ、４７ｂとの連接箇所までの長さＬは、コアユニット２の厚さＸと天井部４１より突出する切絞り部４３の突出量ｘとの和に対して若干短くなるように加工されている。
【００３１】
また、この固定部４７ａ、４７ｂには、孔４６ａ、４６ｂが穿孔されている。そして、このコア保持板材４及び、コア２、コイル３よりコアユニット１が形成される。
【００３２】
以下、コアユニット１を基板５に固定する手順について説明する。上述のように、コイル３はコア２ａ、２ｂを重合する際に、その中央軸部２３ａ、２３ｂに外装されてコア２と一体になる。この重合してコイル３と一体化したコア２を、コの字型で覆うようにコア保持板材４の内部に嵌入する。これにより、図３に示すように、コア２は脚部４２ａ、４２ｂ間に挟まれるとともに、一対の突部４５ａ間、及び４５ｂ間に挟まれることになる。このときにコア２は、各脚部４２ａ、４２ｂ間、一対の突部４５ａ間、及び４５ｂ間で隙間嵌されている。
【００３３】
このコア２がコア保持板材４に隙間嵌されている状態のコアユニット１を、コア保持板材４に穿孔されている孔４６ａ、４６ｂを用いて、あらかじめ基板５に穿設されている螺子孔５１ａ、５１ｂに螺子５２を用いて固定する。
【００３４】
このコアユニット１が固定された状態においては、図４、図５に示すように、切絞り部４３がコア２の頂面に当接している。前述のようにコア保持板材４の脚部４２ａ、４２ｂの長さＬはコア２の厚さＸと切絞り部４３の突出量ｘとの和より短いため、図５に示すように、螺子５１を締めない状態では、固定部４７ａ、４７ｂと基板５との間に隙間ａが発生する。しかし、螺子５１を締め込むことにより、この隙間ａは消滅し、代わりに切絞り部４３がコア２に当接してコア２を基板５に向かって押圧する事になる。このときに平面部４１ａは、切絞り部４３を頂点として撓み、切絞り部４３でコア２を押圧するための板バネの役割を果たすことになる。板バネは、材質、及び形状が同一であるならば、その撓み量に基づいてその力が変化するため、コアユニット１では、撓み量となる固定部４７ａ、４７ｂと基板５との間に発生する隙間ａに基づいて、その押圧力が変化することになる。
【００３５】
また、コア２においては、切絞り部４３が基部２１ａの中央軸部２３ａに対して裏面を押圧している。この中央軸部２３ａには上述のようにギャップがあるので、基部２１ａに曲げ応力が発生し、コア２が破損するおそれがある。しかし、当該第１の実施の形態によるコアユニットを用いることにより、コア２にかかる押圧力を適正な値にすることが可能であるため、コア２の破損も防止することができる。
【００３６】
次に、本発明の第２の実施の形態によるコアユニット６について図６乃至図７を参照しながら説明する。当該第２の実施の形態で用いられるコアユニット６を構成する部品で、コア２及びコイル３については、前述の第１の実施の形態と同様のものであるため、説明は省略する。第１の実施の形態と同様にコイル３を備えたコア２は、重合した状態で特に固定されないため、これを固定する必要がある。よって、図６に示すように、コア２を基板５上にコア保持板材７を用いて固定する。
【００３７】
図６、図７に示すように、コア保持板材７は、耐食性、耐熱性等のある素材、たとえばステンレス鋼等、バネ素材の板をその断面が略コの字型になるように曲加工したものであり、略コの字型のコア保持板材７でコア３を覆うようにして固定する。
【００３８】
第２の実施の形態におけるコア保持板材７は、その天井部７１、切絞り部７３、脚部７２ａ、７２ｂ、突出片７４ａ、７４ｂ等が、第１の実施の形態で使用されたコア保持板材４で対応する部分と同様のものである。よって当該第２の実施の形態においてはその説明は省略する。このコア保持板材７に設けられた突出片７４ａ、７４ｂには、対向方向にそれぞれ突出するよう切絞り加工された切絞り突部７５ａ、７５ｂが形成されている。
【００３９】
この切絞り突部７５ａ、７５ｂは、切絞り部７３と同様に、コア保持板材７をプレス加工する際に形成される。この切絞り加工される箇所は、板面上で略方形を成し、この方形の相対する一辺で板材と連接され、他の相対する一辺はそれぞれ切込みが入れられている。よって、切絞り加工される箇所は、プレスされることにより相対する一辺のみが連接された状態でその板材が押し出されることになる。このときに、切込みが入れられている他の相対する一辺は、切り離された箇所から略垂直に押し出されることになり、この切込みが入れられている箇所は板材に対して略垂直に突出した突部となる。
【００４０】
従って、切絞り突部７５ａ、７５ｂについても、その切絞りされた部分がコア保持板材７の天地方向で連接されるように形成する。
【００４１】
以下、上述のように成形されたコア保持板材７を含んだコアユニット６を基板５に取り付ける手順について説明する。第１の実施の形態と同様に、重合してコイル３と一体化したコア２を、コの字型で覆うように、コア保持板材７の内部に嵌入する。このときに、脚部７２ａ、７２ｂの間は、コア２の、当間に嵌入される部位の長さより若干狭くなるように形成されている。よって、コア２の一対の側面は、脚部７２ａ、７２ｂの間で狭持されることになり、その位置が特定される。
【００４２】
これに対して、コア２の一対の側面に対して直交する位置にある他の一対の側面は、特に板材等でその位置が特定されるものではない。しかし、図７に示すように、切絞り突部７５ａ、７５ｂが脚部７２ａ、７２ｂと連接して同一平面上にある突出片７４ａ、７４ｂより突出しているため、脚部７２ａ、７２ｂの間で狭持されているコア２の側面角部がこの切絞り突部７５ａ、７５ｂと当接関係にある。よって、脚部７２ａ、７２ｂの間に直交する方向においてもコア２の位置が特定されることになる。
【００４３】
そしてコア２の位置がコア保持板材７に対して特定された後、コアユニット６を第１の実施の形態と同様に基板５上に固定する。これによりコアユニット６は基板５に良好に固定されるとともに、コア２が基板５に対してずれ等を発生することもなくなる。
【００４４】
次に、本発明の第３の実施の形態によるコアユニット８について図８乃至図９を参照しながら説明する。当該第３の実施の形態で用いられるコアユニット８を構成する部品で、コア２及びコイル３については、前述の第１の実施の形態と同様のものであるため、説明は省略する。第１の実施の形態と同様にコイル３を備えたコア２は、重合した状態で特に固定されないため、これを固定する必要がある。よって、図８に示すように、コア２を基板５上にコア保持板材９を用いて固定する。
【００４５】
図８、図９に示すように、コア保持板材９は、耐食性、耐熱性等のある素材、たとえばステンレス鋼等、バネ素材の板をその断面が略コの字型になるように曲加工したものであり、略コの字型のコア保持板材９でコア３を覆うようにして固定する。
【００４６】
当該第３の実施の形態におけるコア保持板材９は、その天井部９１、切絞り部９３、脚部９２ａ、９２ｂ、突出片９４ａ、９４ｂ等が、第１の実施の形態で使用されたコア保持板材４で対応する部分と同様のものである。よって当該第３の実施の形態においてはその説明は省略する。このコア保持板材９に設けられた突出片９４ａ、９４ｂには、その先端をコア３に沿って曲げ加工して、コア３の他の一対の側面に関連し、かつその曲げ加工された先端部分にコア３の方向へ向かって突出する絞り加工がなされた絞り突部９５ａ、９５ｂが設けられている。
【００４７】
この絞り突部９５ａ、９５ｂは、切絞り加工と同様に、コア保持板材９をプレス加工する際に形成される。この絞り加工される箇所は板面上で略楕円形を成し、プレスされることによりその断面が半球状に押し出されることになる。よって、絞り突部９５ａ、９５ｂは、略半球状でなめらかな突部となる。
【００４８】
以下、上述のように成形されたコア保持板材９を含んだコアユニット８を基板５に取り付ける手順について説明する。第１の実施の形態と同様に、重合してコイル３と一体化したコア２を、コの字型で覆うように、コア保持板材９の内部に嵌入する。よって、図８に示すように、コア２は脚部９２ａ、９２ｂ間に挟まれるとともに、一対の絞り突部９５ａ間、及び９５ｂ間に挟まれることになる。
【００４９】
この一対の絞り突部９５ａ間、９５ｂ間は、その間に狭持するコア２の幅に対して若干狭く形成されている。しかし、その絞り突部９５ａ、９５ｂは、なめらかな略半球状に形成されているため、その間にコア２を嵌入する際には良好に狭持することが可能であり、これによりコア保持板材９に対するコア２の位置が特定される。
【００５０】
これに対して、脚部９５ａ、９５ｂ間では、コア２が隙間嵌されて脚部９５ａ、９５ｂの内面に当接する事により、コア保持板材９に対するコア２の位置が特定される。そしてコア２の位置が特定された後、コアユニット８を第１の実施の形態と同様に基板５上に固定する。これにより、コアユニット８は、基板５に良好に固定されるとともに、コア２が基板５に対してずれ等を発生することもなくなる。なお、当該第３の実施の形態においては、絞り加工により、絞り突部９５ａ、９５ｂを形成したが、これに限られることなく、切絞り加工、若しくは、単に突出片９４ａ、９４ｂを構成する板材の一部を傾斜させて、これに絞り突部９５ａ、９５ｂと同様の機能を持たせてもよい。
【００５１】
次に、本発明の第４の実施の形態によるコアユニット１０について図１０乃至図１１を参照しながら説明する。当該第４の実施の形態で用いられるコアユニット１０を構成する部品で、コア２及びコイル３については、前述の第１の実施の形態と同様のものであるため、説明は省略する。
【００５２】
第１の実施の形態と同様にコイル３を備えたコア２は、重合した状態で特に固定されないため、これを固定する必要がある。よって、図１０に示すように、コア２を基板５上にコア保持板材１１を用いて固定する。
【００５３】
図１０、図１１に示すように、コア保持板材１１は、耐食性、耐熱性等のある素材、たとえばステンレス鋼等、バネ素材の板をその断面が略コの字型になるように曲加工したものであり、略コの字型のコア保持板材１１でコア３を覆うようにして固定する。
【００５４】
コア保持板材１１は、その天井部１１１の脚部１１２ａ、１１２ｂと連接する箇所付近に、それぞれ切絞り部１１３ａ、１１３ｂが、その切絞り加工の切断されている箇所が天井部１１１の幅方向と平行になり、コア２に向かって突出するように形成されている。その他脚部１１２ａ、１１２ｂ、突出片１１４ａ、１１４ｂ、突部１１５ａ、１１５ｂ等は、第１の実施の形態で使用されたコア保持板材４で対応する部分と同様のものである。よって当該第４の実施の形態においてはその説明は省略する。
【００５５】
以下、上述のように成形されたコア保持板材１１を含んだコアユニット１０を基板５に取り付ける手順について説明する。当該第４の実施の形態においては、その脚部１１２ａ、１１２ｂ及び、突部１１５ａ、１１５ｂとコア２との関係は、第１の実施の形態における脚部４２ａ、４２ｂ及び、突部４５ａ、４５ｂとコア２との関係と同じであるため、脚部１１２ａ、１１２ｂ及び、突部１１５ａ、１１５ｂとコア２との関係についての説明は省略する。
【００５６】
このコア保持板材１１にコア２が隙間嵌された状態で、コアユニット１０を基板５に固定する。このときに、コア２は、コア保持板材１１に形成された切絞り部１１３ａ、１１３ｂにより、基板５に押圧されて固定される。
【００５７】
第１の実施の形態においては、切絞り部４３一カ所でコア２ａの基部２１ａ中心部分、即ち中央軸部２３ａの裏面位置を押圧してコア２を固定している。この形態では、コア２ａの基部２１ａに、その側部２２ａ位置を支点とし、切絞り部４３が当接する箇所を力点として曲げ応力が発生する。これに対して、第４の実施の形態においては、側部２２ａ双方の略垂直上方に切絞り部１１３ａ、１１３ｂが当接する。これにより、力点位置と、支点位置が同一直線上に配置されることになり、支点である側部２２ａに力点である切絞り部１１３ａ、１１３ｂによる押圧力が直に伝達され、基部２１ａに曲げ応力が発生しなくなる。
【００５８】
コア２の基材は一般に曲げ抵抗より圧縮抵抗が大きいため、当該第４の実施の形態においては、第１の実施の形態に比較して、その押圧力を高めて強固に固定することが可能となる。また、コア保持板材１１を加工する工程については、第１の実施の形態と同様に行うため、その加工精度も第１の実施の形態におけるコア保持板材４と同様とすることが可能である。従ってコア保持板材１１の加工精度に依存する切絞り部１１３ａ、１１３ｂの押圧力も第１の実施の形態と同様にその誤差を小さくすることが可能となる。
【００５９】
本発明によるコアユニットは、上述した実施の形態に限定されず、特許請求の範囲に記載した範囲で種々の変形や改良が可能である。例えば、第２の実施の形態及び第三の実施の形態におけるコアユニット６及び８に第４の実施の形態におけるコアユニット１０に備えられた切絞り部１１３ａ、１１３ｂを設置してもよい。
【００６０】
第１の実施の形態乃至第４の実施の形態における切絞り部については、その切絞り箇所が、コア２と当接する箇所である平面、及びその平面と天井部を連接する一対の斜面の３面より構成されていたが、これに限るものではなく、例えば図１２に示すように、コア保持板材１２における切絞り部１２３を曲面のみにより構成してもよい。
【００６１】
また、第１の実施の形態乃至第３の実施の形態における切絞り部は、切絞り加工の切断されている箇所が天井部の長さ方向と平行になるように形成されているが、これに限るものではなく、例えば図１３に示すように、コア保持板材１３における切絞り部１３３を切絞り加工の切断されている箇所が天井部１３１の幅方向と平行になるように形成してもよい。これと同じく、第４の実施の形態において、切絞り部１１３ａ、１１３ｂを、その切絞り加工の切断されている箇所が天井部１１１の長さ方向と平行になるように形成してもよい。
【００６２】
第１の実施の形態乃至第４の実施の形態における脚部については、特にコア２を狭持する機能を備えているものではないが、図１４に示すように、コア保持板材１４の脚部１４２ａ、１４２ｂの略中心部分に脚部切絞り部１４８ａ、１４８ｂをそれぞれ形成してもよい。これにより、脚部の間においてもコア２を狭持可能となって良好に固定することが可能となる。特に第３の実施の形態におけるコアユニット８に図１４における脚部切絞り部１４８ａ、１４８ｂを形成することにより、この脚部切絞り部１４８ａ、１４８ｂ及び絞り突部９５ａ、９５ｂで、それぞれコア２の側面方向より狭持可能となり、かつ、コア２がコア保持板材９で基板５に固定されるため、コア２はその形成される６面方向すべてにおいて固定されることになる。これは特に振動箇所、例えば電気自動車等のスイッチング電源等に利用された場合に顕著な効果が認められる。また、第１の実施の形態乃至第４の実施の形態において、コイル３はブスバーが巻かれることにより形成されていたが、これに限るものではなく、銅線等が巻かれて形成されてもよい。
【図面の簡単な説明】
【００６３】
【図１】本発明第１の実施の形態におけるコアユニットを基板に固定した状態を示す斜視図である。
【図２】同コアユニットの構成を示す分解斜視図である。
【図３】同コアユニットを基板に固定した状態を示す平面図である。
【図４】同コアユニットを基板に固定した状態を示す立面図である。
【図５】同コアユニットを基板に固定する前の状態を示す立面図である。
【図６】本発明第２の実施の形態におけるコアユニットを基板に固定した状態を示す斜視図である。
【図７】同コアユニットを基板に固定した状態を示す平面図である。
【図８】本発明第３の実施の形態におけるコアユニットを基板に固定した状態を示す斜視図である。
【図９】同コアユニットを基板に固定した状態を示す平面図である。
【図１０】本発明第４の実施の形態におけるコアユニットを基板に固定した状態を示す斜視図である。
【図１１】同コアユニットを基板に固定した状態を示す立面図である。
【図１２】本願発明における切絞り部の派生例を示す斜視図である。
【図１３】本願発明における切絞り部の派生例を示す斜視図である。
【図１４】本願発明における脚部の派生例を示す斜視図である。
【図１５】本願発明の従来例を示す斜視図である。
【符号の説明】
【００６４】
１  コアユニット    ２  コア    ２ａ、２ｂ  コア    ３  コイル
４  コア保持板材    ５  基板    ６  コアユニット    ７  コア保持板材
８  コアユニット    ９  コア保持板材    １０  コアユニット    １１  コア保持板材
１２  コア保持板材    １３  コア保持板材    １４  コア保持板材    １５  板バネ
２１ａ、２１ｂ  基部    ２２ａ、２２ｂ  側部    ２３ａ、２３ｂ  中央軸部
４１  天井部    ４１ａ  平面部    ４２ａ、４２ｂ  脚部    ４３    切絞り部
４４ａ、４４ｂ  突出片    ４５ａ、４５ｂ  固定部    ４５ａ、４５ｂ  突部
４６ａ、４６ｂ  孔    ４７ａ、４７ｂ  固定部    ５１ａ、５１ｂ  螺子孔
５２  螺子    ７１  天井部    ７２ａ、７２ｂ  脚部    ７３  切絞り部
７４ａ、７４ｂ       突出片    ７５ａ、７５ｂ  切絞り突部    ９１  天井部
９２ａ、９２ｂ  脚部    ９３  切絞り部    ９４ａ、９４ｂ  突出片
９５ａ 、９５ｂ絞り突部    １１１  天井部    １１２ａ、１１２ｂ  脚部
１１３ａ、１１３ｂ  切絞り部    １１４ａ、１１４ｂ  突出片
１１５ａ、１１５ｂ  突部    １２３  切絞り部    １３１  天井部
１３３  切絞り部    １４２ａ、１４２ｂ  脚部    １４８ａ、１４８ｂ  脚部切絞り部
１５１  天井部    １５２  脚部    １５７  係止部    ｘ  突出量    Ｘ  コア高さ
Ｌ  脚部長さ    ａ  隙間
【図１】
2005101051.tif 000003
【図２】
2005101051.tif 000004
【図３】
2005101051.tif 000005
【図４】
2005101051.tif 000006
【図５】
2005101051.tif 000007
【図６】
2005101051.tif 000008
【図７】
2005101051.tif 000009
【図８】
2005101051.tif 000010
【図９】
2005101051.tif 000011
【図１０】
2005101051.tif 000012
【図１１】
2005101051.tif 000013
【図１２】
2005101051.tif 000014
【図１３】
2005101051.tif 000015
【図１４】
2005101051.tif 000016
【図１５】
2005101051.tif 000017